(57)【要約】【課題】クライアント用端末に対してエリア別の積算電力値の和、或いはそれに加えてエリア別の差分値の和に関する情報を提供することがサーバに負担を与えることなく行える消費電力管理システムを提供することにある。【解決手段】演算処理器３ｘはクライアント用端末６から要求される積算電力値（単体、エリア別、フロア別）のデータに対応した電力計測装置３ａ１〜３ａ３、３ｂ１〜３ｂ３，３ｃ１〜３ｃ３から”積算値”というＩＩＤが付されたインターフェースで定義する情報（積算値）を取得するための実行要求を行うとともに対応する電力計測装置３ａ１〜３ａ３、３ｂ１〜３ｂ３，３ｃ１〜３ｃ３からデータとして送られてくる積算電力値を取得して、クライアント用端末６が要求する積算電力値（単体、エリア別、フロア別）を求める演算処理を行う。【選択図】図１
2007334689.tif 000002
【特許請求の範囲】
【請求項１】
建物内において区分されたエリア毎に設けられ、当該エリアの消費電力を計測積算する複数の電力計測装置と、各電力計測装置から取得する単体の消費電力の積算電力値に基づいて各電力計測装置が設置されているエリア別の積算電力値の和を演算する積算演算部を備えた演算処理器と、消費電力管理用のクライアント用端末とをネットワーク接続する消費電力管理システムであって、
前記各電力計測装置は、ネットワーク通信用の通信部と、設置エリアの消費電力を計測して積算する電力積算機能部と、予め付与された識別子を用いた実行要求がネットワークを通じてあると、実行されて前記電力積算機能部で積算された消費電力の積算電力値データを実行要求元に送出する処理を行う計測用オブジェクトを有する情報処理部とを備え、  前記演算処理器は、ネットワーク通信用の通信部と、前記各電力計測装置の計測用オブジェクトの識別子と当該電力計測装置の設置エリアの種類との関連情報を記憶する記憶部と、各エリア別の積算電力値の和を取り扱う情報として各別に定義し、各定義内容に対応して付与してある識別子を用いた実行要求がネットワークを通じて前記クライアント用端末からあると、識別子に対応した定義内容に基づいて前記電力計測装置を前記記憶部の関連情報から抽出するとともに、当該電力計測装置に対して前記計測用オブジェクトの識別子を用いた実行要求をマルチキャスト又はブロードキャストにより行い、実行要求に呼応した前記各電力積算装置から送られてくる積算電力値データを前記積分演算部に渡し、前記定義内容に対応してエリア別の積算電力値の和を求めた演算結果をクライアント用端末へ送出する処理を行う演算用オブジェクトを有する情報処理部を備え、
前記クライアント用端末は、ネットワーク通信用の通信部と、前記演算処理器の演算用オブジェクトに対する識別子を用いた実行要求を行うための機能と、前記演算処理器から送出されるデータを取得管理する消費電力管理部とを備えている、ことを特徴とする消費電力管理システム。
【請求項２】
前記演算処理器は、各電力計測装置から定期的に消費電力の積算電力値を取得して各電力計測装置から取得する単体の消費電力の積算電力値に基づいて、各電力計測装置の所定時間当たりの積算電力値の差分を演算して該差分値から各電力計測装置が設置されているエリア別の差分値の和を演算する差分演算部を更に備え、
前記情報処理部は、各エリア別の差分電力値の和を取り扱う情報として各別に定義し、各定義内容に対応して付与してある識別子を用いた実行要求がネットワークを通じて前記クライアント用端末からあると、識別子に対応した定義内容に基づいて前記電力計測装置を前記記憶部の関連情報から抽出するとともに、当該電力計測装置に対して前記計測用オブジェクトの識別子を用いた実行要求をマルチキャスト又はブロードキャストにより所定間隔で少なくとも２回行い、各実行要求に呼応した前記各電力積算装置から送られてくる所定間隔の積算電力値データを前記差分演算部に渡し、前記定義内容に対応してエリア別の差分電力値の和を求めた演算結果をクライアント用端末へ送出する処理を行う演算用オブジェクトを有する、ことを特徴とする請求項１記載の消費電力管理システム。
【請求項３】
建物内において区分されたエリア毎に設けられ、当該エリアの消費電力を計測積算する複数の電力計測装置と、各電力計測装置から取得する単体の消費電力の積算電力値に基づいて各電力計測装置が設置されているエリア別の積算電力値の和及び各電力計測装置の所定時間当たりの積分電力値の差分を演算して該差分値から各電力計測装置が設置されているエリア別の差分値の和を演算する演算部を備えた演算処理器と、消費電力管理用のクライアント用端末とをネットワーク接続する消費電力管理システムであって、
前記各電力計測装置は、ネットワーク通信用の通信部と、設置エリアの消費電力を計測して積算する電力積算機能部と、予め付与された識別子を用いた実行要求がネットワークを通じてあると、実行されて前記電力積算機能部で積算された消費電力の積算電力値データを実行要求元に送出する処理を行う計測用オブジェクトを有する情報処理部とを備え、
前記演算処理器は、ネットワーク通信用の通信部と、前記各電力計測装置の計測用オブジェクトの識別子と当該電力計測装置の設置エリアの種類との関連情報を記憶する記憶部と、各電力計測装置に対して前記計測用オブジェクトの識別子を用いた実行要求をマルチキャスト又はブロードキャストにより定期的に行うとともに、実行要求に呼応した前記各電力積算装置から送られてくる積算電力値データを前記演算部に渡す機能を有するとともに、各エリア別の積算電力値の和及び差分値の和を取り扱う情報として各別に定義し、各定義内容に対応して付与してある識別子を用いた実行要求がネットワークを通じて前記クライアント用端末からあると、識別子に対応した定義内容に対応してエリア別の積算電力値の和若しくは差分値の和を演算部で求めさせてその演算結果をクライアント用端末へ送出する処理を行う演算用オブジェクトを有する情報処理部を備え、
前記クライアント用端末は、ネットワーク通信用の通信部と、前記演算処理器の演算用オブジェクトに対する識別子を用いた実行要求を行うための機能と、前記演算処理器から送出されるデータを取得管理する消費電力管理部とを備えている、ことを特徴とする消費電力管理システム。
【請求項４】
建物内において区分されたエリア毎に設けられ、当該エリアの消費電力を計測積算する複数の電力計測装置と、各電力計測装置から取得する単体の消費電力の積算電力値に基づいて各電力計測装置が設置されているエリア別の積算電力値の和を演算する積算演算部を備えた演算処理器と、各電力計測装置から定期的に消費電力の積算電力値を取得して各電力計測装置から取得する単体の消費電力の積算電力値に基づいて、各電力計測装置の所定時間当たりの積算電力値の差分を演算して該差分値から各電力計測装置が設置されているエリア別の差分値の和を演算する差分演算処理器と、消費電力管理用のクライアント用端末とをネットワーク接続する消費電力管理システムであって、
前記各電力計測装置は、ネットワーク通信用の通信部と、設置エリアの消費電力を計測して積算する電力積算機能部と、予め付与された識別子を用いた実行要求がネットワークを通じてあると、実行されて前記電力積算機能部で積算された消費電力の積算電力値データを実行要求元に送出する処理を行う計測用オブジェクトを有する情報処理部とを備え、
前記演算処理器は、ネットワーク通信用の通信部と、前記各電力計測装置の計測用オブジェクトの識別子と当該電力計測装置の設置エリアの種類との関連情報を記憶する記憶部と、各エリア別の積算電力値の和を取り扱う情報として各別に定義し、各定義内容に対応して付与してある識別子を用いた実行要求がネットワークを通じて前記クライアント用端末からあると、識別子に対応した定義内容に基づいて前記電力計測装置を前記記憶部の関連情報から抽出するとともに、当該電力計測装置に対して前記計測用オブジェクトの識別子を用いた実行要求をマルチキャスト又はブロードキャストにより行い、実行要求に呼応した前記各電力積算装置から送られてくる積算電力値データを前記積分演算部に渡し、前記定義内容に対応してエリア種別の積算電力値の和を求めた演算結果をクライアント用端末へ送出する処理を行う演算用オブジェクトを有する情報処理部を備え、
前記差分演算処理器は、各エリア別の差分電力値の和を取り扱う情報として各別に定義し、各定義内容に対応して付与してある識別子を用いた実行要求がネットワークを通じて前記クライアント用端末からあると、識別子に対応した定義内容に基づいて前記電力計測装置を前記記憶部の関連情報から抽出するとともに、当該電力計測装置に対して前記計測用オブジェクトの識別子を用いた実行要求をマルチキャスト又はブロードキャストにより定期的に行い、実行要求に呼応した前記各電力積算装置から送られてくる積算電力値データを前記差分演算部に渡し、前記定義内容に対応してエリア種別の差分電力値の和を求めた演算結果をクライアント用端末へ送出する処理を行う演算用オブジェクトを有する情報処理部を備え、
前記クライアント用端末は、ネットワーク通信用の通信部と、前記演算処理器の演算用オブジェクトに対する識別子を用いた実行要求を行うための機能と、前記演算処理器から送出されるデータを取得管理する消費電力管理部とを備えている、ことを特徴とする消費電力管理システム。
【発明の詳細な説明】
【技術分野】
【０００１】
本発明は、消費電力管理システムに関するものである。
【背景技術】
【０００２】
建物内の設備機器の電力消費を管理するシステムとして、インターネットを利用するものが従来提供されている（例えば特許文献１）。
【特許文献１】特開２００２−５６２１９公報（段落００３１〜００３９、図１）
【発明の開示】
【発明が解決しようとする課題】
【０００３】
特許文献１に開示されているシステムでは設備機器の消費電力を管理センター側のサーバでインターネットを介して取得し、この消費電力に基づいて設備機器の制御を行うものであるが、例えばビルのフロア毎、エリア毎等で消費電力を管理する場合にあってもサーバの負担が大きく、また仮に携帯端末機器等に情報を転送するような場合にあってもサーバ側でウェブサーバ等を設ける必要があった。
【０００４】
本発明は上述の点に鑑みてなされたもので、その目的とするところは、クライアント用端末に対してエリア別の積算電力値の和、或いはそれに加えてエリア別の差分値の和に関する情報を提供することがサーバに負担を与えることなく行える消費電力管理システムを提供することにある。
【課題を解決するための手段】
【０００５】
上述の目的とするところは、請求項１の発明では、建物内において区分されたエリア毎に設けられ、当該エリアの消費電力を計測積算する複数の電力計測装置と、各電力計測装置から取得する単体の消費電力の積算電力値に基づいて各電力計測装置が設置されているエリア別の積算電力値の和を演算する積算演算部を備えた演算処理器と、消費電力管理用のクライアント用端末とをネットワーク接続する消費電力管理システムであって、
前記各電力計測装置は、ネットワーク通信用の通信部と、設置エリアの消費電力を計測して積算する電力積算機能部と、予め付与された識別子を用いた実行要求がネットワークを通じてあると、実行されて前記電力積算機能部で積算された消費電力の積算電力値データを実行要求元に送出する処理を行う計測用オブジェクトを有する情報処理部とを備え、
前記演算処理器は、ネットワーク通信用の通信部と、前記各電力計測装置の計測用オブジェクトの識別子と当該電力計測装置の設置エリアの種類との関連情報を記憶する記憶部と、各エリア別の積算電力値の和を取り扱う情報として各別に定義し、各定義内容に対応して付与してある識別子を用いた実行要求がネットワークを通じて前記クライアント用端末からあると、識別子に対応した定義内容に基づいて前記電力計測装置を前記記憶部の関連情報から抽出するとともに、当該電力計測装置に対して前記計測用オブジェクトの識別子を用いた実行要求をマルチキャスト又はブロードキャストにより行い、実行要求に呼応した前記各電力積算装置から送られてくる積算電力値データを前記積分演算部に渡し、前記定義内容に対応してエリア別の積算電力値の和を求めた演算結果をクライアント用端末へ送出する処理を行う演算用オブジェクトを有する情報処理部を備え、
前記クライアント用端末は、ネットワーク通信用の通信部と、前記演算処理器の演算用オブジェクトに対する識別子を用いた実行要求を行うための機能と、前記演算処理器から送出されるデータを取得管理する消費電力管理部とを備えている、ことを特徴とする。
【０００６】
請求項１の発明によれば、クライアント用端末からクライアント側で希望するエリア別の積算電力値の和の情報に対応する識別子を用いて計測用オブジェクトの実行要求を演算処理器にネットワークを介して送るだけで、ネットワーク上の各電力計測装置からの積算電力値に基づいてエリア別の積算電力値の和の情報をクライアント用端末で取得することができ、しかも演算処理器では、マルチキャスト又はブロードキャストによって当該建物内の各電力計測装置に対して実行要求を行って取得する夫々の消費電力量の積算電力値に基づいた和計算を行うだけで良いので、演算処理の負担も少なく、インターネット等のＷＡＮ上に設けたサーバで各建物の電力計測装置の積算電力値を一括管理して演算するような場合に比してサーバの負担が軽くなる上にインターネット上での通信量も少なくて済む。
【０００７】
請求項２の発明では、請求項１の発明において、前記演算処理器は、各電力計測装置から定期的に消費電力の積算電力値を取得して各電力計測装置から取得する単体の消費電力の積算電力値に基づいて、各電力計測装置の所定時間当たりの積算電力値の差分を演算して該差分値から各電力計測装置が設置されているエリア別の差分値の和を演算する差分演算部を更に備え、
前記情報処理部は、各エリア別の差分電力値の和を取り扱う情報として各別に定義し、各定義内容に対応して付与してある識別子を用いた実行要求がネットワークを通じて前記クライアント用端末からあると、識別子に対応した定義内容に基づいて前記電力計測装置を前記記憶部の関連情報から抽出するとともに、当該電力計測装置に対して前記計測用オブジェクトの識別子を用いた実行要求をマルチキャスト又はブロードキャストにより所定時間間隔で少なくとも２回を行い、各実行要求に呼応した前記各電力積算装置から送られてくる積算電力値データを前記差分演算部に渡し、前記定義内容に対応してエリア別の差分電力値の和を求めた演算結果をクライアント用端末へ送出する処理を行う演算用オブジェクトを有する、ことを特徴とする。
【０００８】
請求項２の発明によれば、請求項１の発明の作用効果に加えて、クライアント用端末からクライアント側で希望するエリア別の差分値の和の情報に対応する識別子を用いて計測用オブジェクトの実行要求を演算処理器にネットワークを介して送るだけで、エリア別の差分値の和の情報をクライアント用端末で取得することができ、しかも差分値の和の要求があったときに演算処理器では、対応する電力計測装置への実行要求を差分値の和を求めるのに必要な回数のみの実行要求を電力計測装置へ行うだけで良いので、ネットワークの通信ための通信量の増大化を招くことはない。
【０００９】
請求項３の発明では、建物内において区分されたエリア毎に設けられ、当該エリアの消費電力を計測積算する複数の電力計測装置と、各電力計測装置から取得する単体の消費電力の積算電力値に基づいて各電力計測装置が設置されているエリア別の積算電力値の和及び各電力計測装置の所定時間当たりの積分電力値の差分を演算して該差分値から各電力計測装置が設置されているエリア別の差分値の和を演算する演算部を備えた演算処理器と、消費電力管理用のクライアント用端末とをネットワーク接続する消費電力管理システムであって、
前記各電力計測装置は、ネットワーク通信用の通信部と、設置エリアの消費電力を計測して積算する電力積算機能部と、予め付与された識別子を用いた実行要求がネットワークを通じてあると、実行されて前記電力積算機能部で積算された消費電力の積算電力値データを実行要求元に送出する処理を行う計測用オブジェクトを有する情報処理部とを備え、
前記演算処理器は、ネットワーク通信用の通信部と、前記各電力計測装置の計測用オブジェクトの識別子と当該電力計測装置の設置エリアの種類との関連情報を記憶する記憶部と、各電力計測装置に対して前記計測用オブジェクトの識別子を用いた実行要求をマルチキャスト又はブロードキャストにより定期的に行うとともに、実行要求に呼応した前記各電力積算装置から送られてくる積算電力値データを前記演算部に渡す機能を有するとともに、各エリア別の積算電力値の和及び差分値の和を取り扱う情報として各別に定義し、各定義内容に対応して付与してある識別子を用いた実行要求がネットワークを通じて前記クライアント用端末からあると、識別子に対応した定義内容に対応してエリア別の積算電力値の和若しくは差分値の和を演算部で求めさせてその演算結果をクライアント用端末へ送出する処理を行う演算用オブジェクトを有する情報処理部を備え、
前記クライアント用端末は、ネットワーク通信用の通信部と、前記演算処理器の演算用オブジェクトに対する識別子を用いた実行要求を行うための機能と、前記演算処理器から送出されるデータを取得管理する消費電力管理部とを備えている、ことを特徴とする。
【００１０】
請求項３の発明によれば、クライアント用端末からクライアント側で希望するエリア別の積算電力値の和の情報或いは差分値の和に対応する識別子を用いて計測用オブジェクトの実行要求を演算処理器にネットワークを介して送るだけで、ネットワーク上の各電力計測装置からの積算電力値に基づいてエリア別の積算電力値の和の情報或いは差分値の和をクライアント用端末で取得することができ、しかも定期的に電力計測装置からの積算電力値を演算処理器で取得しているため、差分値の和の演算もクライアント用端末からの情報要求に対して殆ど遅れることなく、クライアント用端末へ送ることができ、その上演算処理器では、マルチキャスト又はブロードキャストによって当該建物内の各電力計測装置に対して定期的に実行要求を行って取得する夫々の消費電力量の積算電力値に基づいて積算電力値の和や、差分値の和の計算を行うだけで良いので、演算部での演算処理の負担も少なく、インターネット等のＷＡＮ上に設けたサーバで各建物の電力計測装置の積算電力値を一括管理して演算するような場合に比してサーバの負担が軽くなる上にインターネット上での通信量も少なくて済む。
【００１１】
請求項４の発明では、建物内において区分されたエリア毎に設けられ、当該エリアの消費電力を計測積算する複数の電力計測装置と、各電力計測装置から取得する単体の消費電力の積算電力値に基づいて各電力計測装置が設置されているエリア別の積算電力値の和を演算する積算演算部を備えた演算処理器と、各電力計測装置から定期的に消費電力の積算電力値を取得して各電力計測装置から取得する単体の消費電力の積算電力値に基づいて、各電力計測装置の所定時間当たりの積算電力値の差分を演算して該差分値から各電力計測装置が設置されているエリア別の差分値の和を演算する差分演算処理器と、消費電力管理用のクライアント用端末とをネットワーク接続する消費電力管理システムであって、
前記各電力計測装置は、ネットワーク通信用の通信部と、設置エリアの消費電力を計測して積算する電力積算機能部と、予め付与された識別子を用いた実行要求がネットワークを通じてあると、実行されて前記電力積算機能部で積算された消費電力の積算電力値データを実行要求元に送出する処理を行う計測用オブジェクトを有する情報処理部とを備え、
前記演算処理器は、ネットワーク通信用の通信部と、前記各電力計測装置の計測用オブジェクトの識別子と当該電力計測装置の設置エリアの種類との関連情報を記憶する記憶部と、各エリア別の積算電力値の和を取り扱う情報として各別に定義し、各定義内容に対応して付与してある識別子を用いた実行要求がネットワークを通じて前記クライアント用端末からあると、識別子に対応した定義内容に基づいて前記電力計測装置を前記記憶部の関連情報から抽出するとともに、当該電力計測装置に対して前記計測用オブジェクトの識別子を用いた実行要求をマルチキャスト又はブロードキャストにより行い、実行要求に呼応した前記各電力積算装置から送られてくる積算電力値データを前記積分演算部に渡し、前記定義内容に対応してエリア種別の積算電力値の和を求めた演算結果をクライアント用端末へ送出する処理を行う演算用オブジェクトを有する情報処理部を備え、
前記差分演算処理器は、各エリア別の差分電力値の和を取り扱う情報として各別に定義し、各定義内容に対応して付与してある識別子を用いた実行要求がネットワークを通じて前記クライアント用端末からあると、識別子に対応した定義内容に基づいて前記電力計測装置を前記記憶部の関連情報から抽出するとともに、当該電力計測装置に対して前記計測用オブジェクトの識別子を用いた実行要求をマルチキャスト又はブロードキャストにより定期的に行い、実行要求に呼応した前記各電力積算装置から送られてくる積算電力値データを前記差分演算部に渡し、前記定義内容に対応してエリア種別の差分電力値の和を求めた演算結果をクライアント用端末へ送出する処理を行う演算用オブジェクトを有する情報処理部を備え、
前記クライアント用端末は、ネットワーク通信用の通信部と、前記演算処理器の演算用オブジェクトに対する識別子を用いた実行要求を行うための機能と、前記演算処理器から送出されるデータを取得管理する消費電力管理部とを備えている、ことを特徴とする。
【００１２】
請求項４の発明によれば、クライアント用端末からクライアント側で希望するエリア別の積算電力値の和の情報或いは差分値の和に対応する識別子を用いた実行要求を演算処理器或いは差分演算処理器にネットワークを介して送るだけで、ネットワーク上の各電力計測装置からの積算電力値に基づいてエリア別の積算電力値の和の情報或いは差分値の和をクライアント用端末で取得することができ、しかも積算電力値の和を演算する演算処理器とは別個の差分値演算器を用い差分値演算を行うため、夫々の演算処理が軽減され、またインターネット等のＷＡＮ上に設けたサーバで各建物の電力計測装置の積算電力値を一括管理して演算するような場合に比してサーバの負担が軽くなる上にインターネット上での通信量も少なくて済む。
【発明の効果】
【００１３】
本発明は、クライアント用端末に対してエリア別の積算電力値の和、或いはそれに加えてエリア別の差分値の和に関する情報を提供することがサーバに負担を与えることなく行える消費電力管理システムを提供することができるという効果がある。
【発明を実施するための最良の形態】
【００１４】
以下本発明を実施形態により説明する。
（実施形態１）
図１は、本実施形態のシステム構成を示しており、例えばビル等のユーザーエリアＵ内に設けられた事務所や、打合室等の各エリアに設置され、設置エリアでの消費電力を計測積算する電力計測装置３ａ１〜３ａ３，…３ｃ１〜３ｃ３と、ビル内の適所に設置され、後述する演算を行うための演算処理器３ｘ及び差分値演算装置３ｙとをビル内に構築されたＬＡＮ１に接続するとともに、ＬＡＮ１をインターネット４にゲートウェイ２を介して接続し、インターネット４上にはセンターサーバ５及びクライアント用端末６を接続している。
【００１５】
ここで電力計測装置３ａ１（〜３ａ３，…３ｃ１〜３ｃ３）は図２（ａ）に示すように消費電力を計測する電力計測機能と計測する電力を積算する機能とからなる電力積算部３０と、この電力積算部３０にインターフェース部３１と、バス３２とを介して接続され、電力積算部３０から現在の消費電力の積算電力値情報を取得するための情報処理部３３と、ネットワーク通信（例えばイーサネット（登録商標）規格の通信）のための通信部３４とを備え、情報処理部３３にはモジュール部ＭＯＳ＜Micro Object Server＞を組み込んである。
【００１６】
このモジュール部ＭＯＳは、図２（ｂ）に示すように電力計測装置としてのアプリケーション部５０と、ＯＳＩ７階層モデルに対応したソフトウェア通信モジュール５１と、機能部３０との間の情報の授受のためのハードウェア通信モジュール５２とから構成され、アプリケーション部５０に計測用オブジェクトが組み込まれている。
【００１７】
ここでオブジェクトは、単体識別子（以下ＯＩＤという）が付されるとともに、取り扱う情報を定義した入出力定義機能（以下インターフェースという）を有するもので、インターフェースにも識別子（以下ＩＩＤという）が付されており、オブジェクトに対する実行要求は、ＯＩＤとＩＩＤの組み合わせ、或いはＩＩＤを用いて行われるようなっている。そしてＩＩＤは同じ定義内容のインターフェースには共通のＩＩＤが付されるため、異なるオブジェクトの下の同じ定義内容のインターフェースを対象に実行要求を行う場合には、共通のＩＩＤのみを用いて実行要求することができるようになっている。
【００１８】
ここで、各電力計測装置３ａ１〜３ａ３，…３ｃ１〜３ｃ３のモジュール部ＭＯＳのオブジェクトには、当該電力計測装置を設置しているエリアの種類（事務所、打合室等）と設置エリアが存在するフロア（階）とを識別できるようなユニークなＯＩＤが付され、ＩＩＤとしては例えば定義する情報を明確に示す”積算電力値”としている。
【００１９】
尚図１のシステムでは電力計測装置３ａ１〜３ａ３は１階フロア、３ｂ１〜３ｂ３は２階フロア、３ｃ１〜３ｃ３は３階フロアに設置されているものとし、また電力計測装置３ａ３，３ｂ３，３ｃ３が設置されているエリアは例えば打合室とし、その他の電力計測装置３ａ１、３ａ２、３ｂ１，３ｂ２、３ｃ１，３ｃ２が設置されているエリアは例えば事務所とする。
【００２０】
演算処理器３ｘ及び差分値演算装置３ｙは、図１に示すように任意の場所でＬＡＮ１に接続されるものであって、機能部として演算処理器３ｘでは、図３（ａ）、（ｂ）に示すように積算電力値演算用の演算部３０ｘを、また差分演算処理器３ｙでは、差分値演算用の演算部３０ｙを備えた点で電力計測装置３ａ、３ｂ、３ｃと相違し、情報処理部３３内のモジュール部ＭＯＳのオブジェクトとしては後述するクライアント用端末６から情報要求に応じて実行されるオブジェクトを有する。
【００２１】
演算処理器３ｘのオブジェクトには、電力計測装置３ａ１〜３ａ３、３ｂ１〜３ｂ３，３ｃ１〜３ｃ３単体が計測積算する積算電力値、建物の階（以下フロアという）別の積算電力値の和、エリア毎（エリア別）の積算電力値の和を、クライアント用端末６に提供するために、夫々の情報を定義した入出力定義機能（以下インターフェースという）を持ち、インターフェースには夫々に対応するＩＩＤ（例えば”積算電力値”、”１階積算電力値”〜”３階積算電力値、”事務所積算電力値”、”打合室積算電力値”）を付与し、またオブジェクトにはユニークなＯＩＤを付与してある。
【００２２】
そして演算処理器３ｘの情報処理部３３は、予めモジュール部ＭＯＳのオブジェクトのＩＩＤと各電力計測装置のＯＩＤとの関係を登録している記憶部（図示せず）を備えており、クライン用端末６からオブジェクトの実行要求があると、実行対象のＩＩＤが定義する電力計測装置の計測用モジュールに対する実行要求をマルチキャストで行うことで、実行要求対象の電力計測装置から積算電力値を取得し、この取得した積算電力値を演算部３０ｘに渡し、実行対象のＩＩＤに対応するインターフェースが定義する情報に対応した演算を演算部３ｘで行わせ、その演算結果をクライアント用端末６へ送出する処理を行うようなっている。
【００２３】
一方差分演算処理器３ｙのオブジェクトには、電力計測装置３ａ１〜３ａ３、３ｂ１〜３ｂ３，３ｃ１〜３ｃ３単体が計測積算する積算電力値に基づく所定時間当たりの差分値、フロア毎の差分値の和、エリア別の差分値の和を、クライアント用端末６に提供するために、夫々の情報を定義した入出力定義機能（以下インターフェースという）を持ち、インターフェースには夫々に対応するＩＩＤ（例えば”差分値”、”１階差分値”〜”３階差分値、”事務所差分値”、”打合室差分値”）を付与し、またオブジェクトにはユニークなＯＩＤを付与してある。
【００２４】
差分演算処理器３ｙの情報処理部３３は上述のオブジェクトに対応する実行要求がクライアント用端末６からの実行要求があると対応するエリア別又はフロア別又は全ての電力計測装置３ａ１〜３ａ３、３ｂ１〜３ｂ３，３ｃ１〜３ｃ３の計測用オブジェクトに対する実行要求を所定時間間隔で少なくとも２回マルチキャスト（或いはブロードキャスト）で行うようにプログラムされ、この実行要求によって各電力計測装置３ａ１〜３ａ３、３ｂ１〜３ｂ３，３ｃ１〜３ｃ３から送られくる積算電力値を演算部３０ｙに渡すようになっている。また演算部３０ｙは前回要求時の積算電力値と、今回要求時の積算電力値との差分を実行要求の都度求め、各電力計測装置３ａ１〜３ａ３、３ｂ１〜３ｂ３，３ｃ１〜３ｃ３での最新の差分値を保持する処理を行うようになっている。
【００２５】
クライアント用端末６から情報処理部３３のモジュール部ＭＯＳのオブジェクトは、実行されると実行対象のＩＩＤで示すインターフェースが定義する情報を得るための演算を情報処理部３３が演算部３０ｙに指示するようにプログラムされており、情報処理部３３は、予めモジュール部ＭＯＳのオブジェクトのＩＩＤと各電力計測装置３ａ１〜３ａ３、３ｂ１〜３ｂ３，３ｃ１〜３ｃ３の関係を登録している記憶部（図示せず）から実行対象のＩＩＤに対応するインターフェースが定義する演算を演算部３ｘで行わせ、その演算結果をクライアント用端末６へ送出する処理を行うようになっている。
【００２６】
さて本実施形態では、ＬＡＮ１とインターネット４との間にはゲートウェイ２を設けており、このゲートウェイ２は図４に示すように、電力計測装置３ａ１〜３ａ３、３ｂ１〜３ｂ３，３ｃ１〜３ｃ３及び演算処理器３ｘを夫々接続したＬＡＮ１のケーブルを集線するためのハブ部２０と、インターネット４に接続するためのモデム部２１とを備えるととも、電力計測装置３ａ１〜３ａ３、３ｂ１〜３ｂ３，３ｃ１〜３ｃ３及び演算処理器３ｘに割り当てたローカルＩＰアドレスと電力計測装置３ａ１〜３ａ３、３ｂ１〜３ｂ３，３ｃ１〜３ｃ３及び演算処理器３ｘのオブジェクトのＯＩＤとその下のインターフェースのＩＩＤとの組み合わせ情報を接続対応関係情報テーブル（図示せず）に格納して電力計測装置３ａ１〜３ａ３、３ｂ１〜３ｂ３，３ｃ１〜３ｃ３及び演算処理器３ｘのネットワークの繋がり方を隠すためのオブジェクト・ルータとしての機能を実現するソフトと、後述するように演算処理器３ｘのオブジェクト下のインターフェースをアクセスすることで、当該演算処理器３ｘの論理演算部３０’が提供するサービスをユーザーが享受するために実行される各種アプリケションソフトと、更に異種のプロトコルを変換して本実施形態の消費電力管理システムにシームレスに繋ぐためのプロトコル・ブリッジサービスと、後述するセンターサーバ５との間の通信に用いるプロトコルをＳＯＡＰ（Simple Object Access Protocol）に変換してファイヤーウォールを通過させるためのファイヤーウォール・ブリッジ・サービス等の追加可能なサービス機能を実現するソフトから構成されるサービス機能部ＯＡＳを備えている。
【００２７】
ここで、本発明のシステムで使用するプロトコルは上述したようにＯＳＩ７階層モデルを用いており、演算処理器３ｘや電力計測装置３ａ１〜３ａ３、３ｂ１〜３ｂ３，３ｃ１〜３ｃ３が情報授受を行うための独自プロトコル（以下ＯＡＰという）からアプリケーション層を構成し、このＯＡＰを用いてゲートウェイ２のサービス機能部ＯＡＳと演算処理器３ｘや電力計測装置３ａ１〜３ａ３、３ｂ１〜３ｂ３，３ｃ１〜３ｃ３の情報処理部３３内のモジュール部ＭＯＳとの間の情報授受を行うようになっている。
【００２８】
またモジュール部ＭＯＳのソフトウェア通信モジュール５１は、ＯＳＩ７階層のネットワーク層〜プレゼンテーション層におけるプロトコルを担うものであって、上述のＯＡＰの定義やＴＣＰ，ＵＤＰの統合を行っている。
【００２９】
センターサーバ５はインターネット９上に設置されるもので、ゲートウェイ２と同様にサービス機能部ＯＡＳを搭載し、他のサービス機能部ＯＡＳ間の通信は上述のＳＯＡＰによって行うようになっている。
【００３０】
クライアント用端末６は例えばパソコン等からなり、インターネット４に接続された通信部（図示せず）を備えるとともに、上述のような電力計測装置単体（単体）の積算電力値、差分値、フロア別の積算電力値の和、差分値の和、エリア別の積算電力値の和、差分値の和の情報を夫々要求し、表示器（図示せず）に表示させるためのアプリケーションを搭載し、このアプリケーションは情報要求を演算処理器３ｘ及び差分演算処理器３ｙのＯＩＤ及び要求対象の情報を定義しているインターフェースのＩＩＤを用いて行うようプログラムされ、これらＯＩＤ及びＩＩＤの情報は当該クライアント用端末６の接続時にセンターサーバ５から与えられる。
【００３１】
次に本実施形態の動作を説明する。
【００３２】
まず、クライアント用端末６から演算処理器３ｘ或いは差分演算処理器３ｙに対する情報要求をオブジェクトのＯＩＤ及びインターフェースのＩＩＤの組み合わせ情報を用いてセンターサーバ５に対して送ると、センターサーバ５のサービス機能部ＯＡＳでは接続対応関係情報テーブルの格納情報と、情報要求先のオブジェクトのＯＩＤとインターフェースのＩＩＤの組み合わせ情報とを照合して当該オブジェクトを有するモジュール部ＭＯＳを備えた演算処理器３ｘ又は差分演算処理器３ｙを配下のＬＡＮ１に接続しているゲートウェイ２を探し出し、当該ゲートウェイ２宛にオブジェクトのＯＩＤとインターフェースのＩＩＤの組み合わせ情報からなる情報要求を転送する処理を行う。
【００３３】
ゲートウェイ２のサービス機能部ＯＡＳではセンターサーバ５からの情報要求先のオブジェクトのＯＩＤとインターフェースのＩＩＤの組み合わせ情報と、接続対応関係情報テーブルのデータとを照合して、対象となる演算処理器３ｘ又は差分演算処理器３ｙを探し出し、この演算処理器３ｘ宛にセンターサーバ５から送られてきたＯＩＤとＩＩＤの組み合わせ情報を用いた情報要求を送る。
【００３４】
演算処理器３ｘ或いは差分演算処理器３ｙの情報処理部３３のモジュール部ＭＯＳでは情報要求に用いられたＯＩＤ及びＩＩＤによってオブジェクトを実行し、ＩＩＤで示されるインターフェースが定義する情報を取得するための処理を開始する。
【００３５】
例えば、演算処理器３ｘの場合には、例えば”積算電力値”に対応するＩＩＤに実行要求があると、全ての電力計測装置３ａ１〜３ａ３，…３ｃ１〜３ｃ３のオブジェクトのＯＩＤを用いてマルチキャストで通信部３４から実行要求を順次送出する処理を行い、”１階積算電力値”〜”３階積算電力値”の何れか一つ若しくは複数のＩＩＤに実行要求があると、当該階に設置されている電力計測装置の各オブジェクトのＯＩＤを記憶部から読み出して、当該ＯＩＤを用いた実行要求をマルチキャストで順次送出する処理を行い、更に”事務所積算電力値”又は”打合室積算電力値”或いはその両方を用いたオブジェクトの実行要求がある場合には当該エリアに設置されている電力計測装置の各オブジェクトのＯＩＤを記憶部から読み出して、当該ＯＩＤを用いた実行要求をマルチキャストで順次送出する処理を行い、これらの実行要求に呼応して電力計測装置から積算電力値のデータが送られてくると、これら積算電力値のデータを取得して演算部３０ｘに渡すようになっている。演算部３０ｘでの演算は、”積算電力値”に対応するＩＩＤに実行があった場合には、受け取った各電力計測装置３ａ１〜３ａ３、３ｂ１〜３ｂ３，３ｃ１〜３ｃ３単体が計測する積算電力値データを情報処理部３３の制御の下で、そのままクライアント用端末６に通信部３４を介して送出するため、特に演算を行わないが、フロア別の場合や、エリア別に対応するＩＩＤに実行があった場合には、フロア別、エリア別の電力計測装置の積算電力値の和を演算し、その演算結果のデータを情報処理部３３の制御の下でクライアント用端末６へ送出するように通信部３４に渡す処理が為される。
【００３６】
一方、差分演算処理器３ｙの場合には、例えば”差分値”に対応するＩＩＤに実行要求がクライアント用端末６からあると、全ての電力計測装置３ａ１〜３ａ３、３ｂ１〜３ｂ３，３ｃ１〜３ｃ３の計測用オブジェクトに対する実行要求を所定時間間隔で少なくとも２回マルチキャスト（或いはブロードキャスト）で行い、全ての電力計測装置３ａ１〜３ａ３，…３ｃ１〜３ｃ３から実行要求に対応して所定時間間隔で送られてくる積算電力値データを演算部３０ｙに与えて、演算部３０ｙで差分値を演算させ、その演算結果である電力計測装置３ａ１〜３ａ３，…３ｃ１〜３ｃ３の差分値データをクライアント用端末６へ送出するように通信部３４に渡す処理を行う。また”１階差分値”〜”３階差分値”などのフロア別、或いは、”事務所差分値”、”打合室差分値”等のエリア別の差分値の和を求める実行要求があると、情報処理部３３は対応するフロア或いはエリアに属する電力計測装置の計測用オブジェクトに対する実行要求を所定時間間隔で少なくとも２回マルチキャスト（或いはブロードキャスト）で行い、実行要求対象の電力計測装置から実行要求に対応して所定時間間隔で送られてくる積算電力値データを演算部３０ｙに与えて、演算部３０ｙで差分値と対象となるフロア全体若しくはエリア全体での差分値の和を演算させ、その演算結果である所定の差分値の和データを演算部３０ｙから得てクライアント用端末６へ送出するように通信部３４に渡す処理を行う。
【００３７】
以上のように本実施形態では、クライアント用端末６から希望する消費電力に関する値を定義した情報定義機能に対応するオブジェクトの実行要求を演算処理器３ｘ又は差分演算処理器３ｙにインターネット４及びＬＡＮ１を介して送るだけで、ＬＡＮ１上の各電力計測装置３ａ、３ｂ、３ｃからの積算電力値に基づいて単体の積算電力値、エリア別の積算電力値の和、フロア別の積算電力値の和、単体の積算電力値の差分値、エリア別の積算電力値の差分値の和、フロア別の積算電力値の差分値の和をクライアント用端末で取得することができ、しかも演算処理器３ｘ或いは差分演算処理器３ｙでは、マルチキャストによって当該建物内の各電力計測装置３ａ、３ｂ、３ｃに対して実行要求を行って取得する夫々の消費電力量の積算電力値に基づいた和計算、差分値計算及びその和計算を行うだけで良いので、演算処理の負担も少なく、インターネット等のＷＡＮ上に設けたサーバで各建物の電力計測装置３ａ、３ｂ、３ｃの電力消費量の積算電力値を一括管理して演算するような場合に比してサーバの負担が軽くなる上にインターネット上での通信量も少なくて済む。
【００３８】
尚上述の場合、差分演算処理器３ｙは、クライアント用端末６から差分値データに対応する実行要求があったときに、対応する電力計測装置の計測用オブジェクトに対して所定時間間隔で実行要求を行って差分値の演算のために必要な積算電力値を電力計測装置から得るようにしているが、差分演算処理器３ｙが定期的に全ての電力計測装置３ａ１〜３ａ３、３ｂ１〜３ｂ３，３ｃ１〜３ｃ３の計測用オブジェクトに対する実行要求をマルチキャスト若しくはブロードキャストによって行い、各電力計測装置３ａ１〜３ａ３、３ｂ１〜３ｂ３，３ｃ１〜３ｃ３での最近の差分値を演算部３０ｙで常時求めるようにしておき、クライアント用端末６から”差分値”に対応するＩＩＤの実行要求があると、電力計測装置３ａ１〜３ａ３、３ｂ１〜３ｂ３，３ｃ１〜３ｃ３に対応する差分値データをクライアント用端末６に送る処理を行い、またフロア別或いはエリア別の差分値に対応するＩＩＤの実行要求がクライアント用端末６からあると、対応する電力計測装置の差分値を用いて演算部３０ｙで差分値の和の演算を行い、その演算結果である差分値の和のデータをクライアント用端末６に送るようにしても良い。
【００３９】
つまり、予め全ての電力計測装置３ａ１〜３ａ３、３ｂ１〜３ｂ３，３ｃ１〜３ｃ３の最近の差分値を求めることで、クライアント用端末６から差分値データを求めるＩＩＤの実行要求があると、即時に所定の差分値データをクライアント用端末６に送ることができる。
（実施形態２）
上述の実施形態１では電力積算値に特化した演算処理器３ｘと差分値に特化した演算処理器３ｘを別々に設けてあるが、本実施形態は演算処理器３ｘに差分値の演算に対応した機能を持たせた点に特徴があり、システム構成として図１のシステムから差分演算処理器３ｙが必要なくなることになる。
【００４０】
また演算処理器３ｘの回路構成は動作は異なるもののハードウェア的には図３（ａ）に示す構成と同じであるので、図示は省略する。
【００４１】
本実施形態に用いる演算処理器３ｘの情報処理部３３内のモジュール部ＭＯＳのオブジェクトには、電力計測装置３ａ１〜３ａ３、３ｂ１〜３ｂ３，３ｃ１〜３ｃ３単体が計測積算する積算値、単体での単位時間当たりの電力消費電力の遷移を示す差分値、フロア別の積算値の和、フロア別の差分値の和、エリア別（種類別）の積算値の和、エリア別の差分値の和の情報を、クライアント用端末６に提供するために、夫々の情報を定義したインターフェースというを持ち、インターフェースには夫々に対応するＩＩＤ（例えば”積算値”、”差分値”、”フロア別積算値”、”フロア別差分値”、エリア別積算値”、”エリア別差分値”）を付し、またオブジェクトには固有識別子であるＯＩＤを付してある。
【００４２】
そして情報処理部３３はこれらＯＩＤ及びＩＩＤを用いたオブジェクトの実行要求があって、オブジェクトが実行されると、演算部３０ｘに対して各電力計測装置３ａ１〜３ａ３、３ｂ１〜３ｂ３，３ｃ１〜３ｃ１の積算値を用いてＩＩＤで指定されたインターフェースで定義されている情報の取得のための論理演算を行わせ、当該情報を取得するようなっている。
【００４３】
この論理演算では、各電力計測装置３ａ１〜３ａ３、３ｂ１〜３ｂ３，３ｃ１〜３ｃ３単体が計測する積算値と、単位時間当たりの電力消費電力の遷移を示す差分値と、フロア別の積算値の和と、フロア別の差分値の和と、エリア別の積算値の和と、エリア別の差分値の和とについて階層毎に行われる。この階層毎の論理演算の流れを図５に示す。この図５で示す階層Ａは電力計測装置３ａ１〜３ａ３、３ｂ１〜３ｂ３，３ｃ１〜３ｃ３単体が計測する積算値に、階層Ｂは単位時間当たりの電力消費電力の遷移を示す差分値（以下差分値と略す）に、階層Ｃはフロア別の積算値の和に、階層Ｄはフロア別の差分値の和に、階層Ｅはエリア別の積算値の和に、階層Ｆはエリア別の差分値の和に夫々対応する。
【００４４】
次に本実施形態の動作を図６に基づいて説明する。
【００４５】
まず、クライアント用端末６から演算処理器３ｘに対する情報要求をオブジェクトのＯＩＤ及びインターフェースのＩＩＤの組み合わせ情報を用いてセンターサーバ５に対して送ると、センターサーバ５のサービス機能部ＯＡＳでは接続対応関係情報テーブルの格納情報と、情報要求先のオブジェクトのＯＩＤとインターフェースのＩＩＤの組み合わせ情報とを照合して当該オブジェクトを有するモジュール部ＭＯＳを備えた演算処理器３ｘを配下のＬＡＮ１に接続しているゲートウェイ２を探し出し、当該ゲートウェイ２宛にオブジェクトのＯＩＤとインターフェースのＩＩＤの組み合わせ情報からなる情報要求を転送する処理を行う。
【００４６】
ゲートウェイ２のサービス機能部ＯＡＳではセンターサーバ５からの情報要求先のオブジェクトのＯＩＤとインターフェースのＩＩＤの組み合わせ情報と、接続対応関係情報テーブルのデータとを照合して、対象となる演算処理器３ｘを探し出し、この演算処理器３ｘ宛にセンターサーバ５から送られてきたＯＩＤとＩＩＤの組み合わせ情報を用いた情報要求を送る。
【００４７】
演算処理器３ｘの情報処理部３３のモジュール部ＭＯＳでは情報要求に用いられたＯＩＤで示されるオブジェクトを実行し、ＩＩＤで示されるインターフェースで定義する情報を取得するための演算処理を開始する。この演算処理の開始時に、まずＩＩＤにより要求されている情報が電力計測装置単体のデータであるか否かを判定し（ステップＳ１）、単体データである場合には積算値か差分値かが判定でき（ステップＳ２）、”積算値”というＩＩＤであればオブジェクトの実行により、情報処理部３３はモジュール部ＭＯＳの働きの下で、定期的にＯＩＤとＩＩＤの組み合わせ情報を用いてマルチキャストにより各電力計測装置３ａ１〜３ａ３、３ｂ１〜３ｂ３，３ｃ１〜３ｃ３のオブジェクト実行を要求し、このオブジェクト実行により夫々の電力計測装置３ａ１〜３ａ３、３ｂ１〜３ｂ３，３ｃ１〜３ｃ３から取得している積算値のデータ、つまり上述の階層Ａのデータをそのまま使い（ステップＳ３）、上述のプロトコルにより情報要求先であるクライアント用端末６宛に通信部３４からＬＡＮ１，ゲートウェイ２、インターネット４、センターサーバ５を介して送ることになる。
【００４８】
一方情報要求に用いられるＩＩＤが”差分値”である場合には、演算処理器３ｘの演算部３０ｘは定期的に取得している各電力計測装置３ａ１〜３ａ３、３ｂ１〜３ｂ３，３ｃ１〜３ｃ３の積算値、つまり階層Ａのデータの差分値を取り、情報処理部３３はモジュール部ＭＯＳの働きの下で、差分値データを上述の階層Ｂに格納し（ステップＳ４）、上述のプロトコルにより情報要求先であるクライアント用端末６宛に通信部３４からＬＡＮ１，ゲートウェイ２、インターネット４、センターサーバ５を介して送ることになる。
【００４９】
更に情報要求に用いられるＩＩＤが単体データではない場合、ステップＳ５においてフロア別かエリア別かの判定を行い、例えばＩＩＤが”フロア別ｘｘｘ”の場合にはステップＳ６で積算値か、差分値かを判定する（ステップＳ６）。
【００５０】
ここでＩＩＤが”フロア別積算値”の場合には、演算処理器３ｘの演算部３０ｘは階層Ａのデータとして送られてくる各電力計測装置３ａ１〜３ａ３、３ｂ１〜３ｂ３，３ｃ１〜３ｃ３の積算値の和をフロア別（階別）に求め、この求めた各フロア（各階）の積算値の和のデータを情報処理部３３のモジュール部ＭＯＳの働きの下で、上述の階層Ｃに格納し（ステップＳ７）、上述のプロトコルにより情報要求先であるクライアント用端末６宛に通信部３４を介してＬＡＮ１，ゲートウェイ２、インターネット４、センターサーバ５を介して送ることになる。尚フロア別の識別には電力計測装置３ａ１〜３ａ３、３ｂ１〜３ｂ３，３ｃ１〜３ｃ３のオブジェクトのＯＩＤにより行う。
【００５１】
またＩＩＤが”フロア別差分値”の場合には、演算処理器３ｘの演算部３０ｘは上述の階層Ｂのデータから各フロアの差分値の和を求め、この求めた各フロア（各階）の積算値の和のデータを情報処理部３３のモジュール部ＭＯＳの働きの下で、上述の階層Ｃに格納し（ステップＳ８）、上述のプロトコルにより情報要求先であるクライアント用端末６宛に通信部３４を介してＬＡＮ１，ゲートウェイ２、インターネット４、センターサーバ５を介して送ることになる。
【００５２】
一方ステップＳ５の判定でＩＩＤが”エリア別ｘｘ”の場合には、ステップＳ９で積算値か、差分値かを判定する。ここでＩＩＤが”エリア別積算値”の場合には、フロア別と同様に演算処理器３ｘの演算部３０ｘは階層Ａのデータとして送られてくる各電力計測装置３ａ１〜３ａ３、３ｂ１〜３ｂ３，３ｃ１〜３ｃ３の積算値の和をエリア別に求め、この求めたエリア別の積算値の和のデータを情報処理部３３のモジュール部ＭＯＳの働きの下で、上述の階層Ｅに格納し（ステップＳ１０）、上述のプロトコルにより情報要求先であるクライアント用端末６宛に通信部３４を介してＬＡＮ１，ゲートウェイ２、インターネット４、センターサーバ５を介して送ることになる。尚エリア別の識別には電力計測装置３ａ１〜３ａ３、３ｂ１〜３ｂ３，３ｃ１〜３ｃ３のオブジェクトのＯＩＤにより行う。
【００５３】
またＩＩＤが”フロア別差分値”の場合には、演算処理器３ｘの演算部３０ｘは上述の階層Ｂのデータから各フロアの差分値の和を求め、この求めた各フロア（各階）の積算値の和のデータを情報処理部３３のモジュール部ＭＯＳの働きの下で、上述の階層Ｆに格納し（ステップＳ１１）、上述のプロトコルにより情報要求先であるクライアント用端末６宛に通信部３４を介してＬＡＮ１，ゲートウェイ２、インターネット４、センターサーバ５を介して送ることになる。
【００５４】
そしてクライアント用端末６では情報要求に応える形で、演算処理器３ｘから階層別のデータを受けことになり、この受け取ったデータを例えば表示器で表示する処理を行うのである。これにより建物の管理者は各電力計測装置３ａ１〜３ａ３、３ｂ１〜３ｂ３，３ｃ１〜３ｃ３が設置されているゾーン毎、或いはフロア別、更にはエリア別の消費電力量の積算値や、差分値を知ることができ、消費電力量の管理がユーザーエリアＵから離れた場所において可能となるのである。
【００５５】
尚上述の”フロア別”、”エリア別”を”１階”〜”３階”などの個々のフロア別や”事務所差分値”、”打合室差分値”等の個々のエリア別に対する積算電力値のデータや和のデータに対応するようにしても良い。
【００５６】
本実施形態は、消費電力量管理をクライアント用端末６で行うものであったが、演算処理器３ｘからの電力消費情報，特に差分値の情報を利用して、設備機器を制御することで、電力消費の管理を行うデマンド制御に用いても良い。
【図面の簡単な説明】
【００５７】
【図１】実施形態１のシステム構成図である。
【図２】（ａ）は実施形態１のシステムに用いる電力計測装置の構成図、（ｂ）は実施形態１の電力計測装置内のモジュール部の構成図である。
【図３】（ａ）は実施形態１のシステムに用いる演算処理器の構成図、（ｂ）は差分演算処理器の構成図である。
【図４】実施形態１のシステムに用いるゲートウェイの構成図である。
【図５】実施形態２のシステムに用いる演算処理器の論理演算の説明図である。
【図６】実施形態２のシステムの動作説明用フローチャートである。
【符号の説明】
【００５８】
１  ＬＡＮ
２  ゲートウェイ
３ａ１〜３ａ３、３ｂ１〜３ｂ３、３ｃ１〜３ｃ３  電力計測装置
３ｘ  演算処理器
４  インターネット
５  センターサーバ
６  クライアント用端末
ＭＯＳ  モジュール部
ＯＡＳ  サービス機能部
【図１】
2007334689.tif 000003
【図２】
2007334689.tif 000004
【図３】
2007334689.tif 000005
【図４】
2007334689.tif 000006
【図５】
2007334689.tif 000007
【図６】
2007334689.tif 000008